【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
入力された第１の解像度の画像と、前記第１の解像度より高い第２の解像度の画像との差分を表す前記第２の解像度の差分画像を生成する差分画像生成部と、
少なくとも入力された前記第１の解像度の画像を用いて、前記第２の解像度の差分画像の一部又は全体をマスクする差分画像マスク部と、
前記差分画像生成部の出力、又は前記差分画像マスク部の出力を、前記第２の解像度の画像に加算する加算部と
を複数含み、
それぞれ異なる前記第１の解像度の画像と、直前の前記加算部による処理により得られた前記第２の解像度の画像とを入力として２回目以降の前記処理を行い、所定の回数だけ前記処理を行うことによって処理結果たる前記第２の解像度の画像を生成する画像処理部を備える
画像処理装置。
【請求項２】
前記差分画像マスク部は、入力された複数の前記第１の解像度の画像に基づいて、マスク領域を決定する
請求項１に記載の画像処理装置。
【請求項３】
前記差分画像マスク部は、入力された前記第１の解像度の画像と前記第２の解像度の画像とに基づいて、マスク領域を決定する
請求項１に記載の画像処理装置。
【請求項４】
前記マスク領域は、入力される画像間の画素値の差分の大小により決定される
請求項２又は３に記載の画像処理装置。
【請求項５】
前記差分画像生成部に対する入力画像として、動画像撮像中に撮像された、前記第１の解像度より大きい解像度を有する静止画像が含まれる
請求項１乃至４のうちのいずれかに記載の画像処理装置。
【請求項６】
入力された第１の解像度の画像と、前記第１の解像度より高い第２の解像度の画像との差分を表す前記第２の解像度の差分画像を生成する差分画像生成部と、
前記差分画像生成部の出力を前記第２の解像度の画像に加算する加算部と
を複数含み、
それぞれ異なる前記第１の解像度の画像と、直前の前記加算部による処理により得られた前記第２の解像度の画像とを入力として２回目以降の前記処理を行い、所定の回数だけ前記処理を行うことによって処理結果たる前記第２の解像度の画像を生成する画像処理部と、
前記第１の解像度の画像と前記第２の解像度の画像とに基づいて、前記処理の初期画像である前記第２の解像度の画像を生成する初期画像生成部とを備え、
前記初期画像は、前記第２の解像度の画像の動き補償の信頼性が低い領域において、前記第１の解像度の画像を前記第２の解像度の画像に変換した画像によって補間することにより生成される
画像処理装置。
【請求項７】
入力された第１の解像度の画像と、前記第１の解像度より高い第２の解像度の画像との差分を表す前記第２の解像度の差分画像を複数の差分画像生成部により生成し、
少なくとも入力された前記第１の解像度の画像を用いて、前記第２の解像度の差分画像の一部又は全体を複数の差分画像マスク部によりマスクし、
前記差分画像生成部の出力、又は前記差分画像マスク部の出力を、前記第２の解像度の画像に複数の加算部により加算し、
それぞれ異なる前記第１の解像度の画像と、直前の前記加算部による処理により得られた前記第２の解像度の画像とを入力として２回目以降の前記処理を行い、所定の回数だけ前記処理を行うことによって処理結果たる前記第２の解像度の画像を生成する
ステップを含む画像処理方法。
【請求項８】
入力された第１の解像度の画像と、前記第１の解像度より高い第２の解像度の画像との差分を表す前記第２の解像度の差分画像を複数の差分画像生成部により生成し、
少なくとも入力された前記第１の解像度の画像を用いて、前記第２の解像度の差分画像の一部又は全体を複数の差分画像マスク部によりマスクし、
前記差分画像生成部の出力、又は前記差分画像マスク部の出力を、前記第２の解像度の画像に複数の加算部により加算し、
それぞれ異なる前記第１の解像度の画像と、直前の前記加算部による処理により得られた前記第２の解像度の画像とを入力として２回目以降の前記処理を行い、所定の回数だけ前記処理を行うことによって処理結果たる前記第２の解像度の画像を生成する
ステップを含む処理をコンピュータに実行させるプログラム。
【請求項９】
入力された第１の解像度の画像と、前記第１の解像度より高い第２の解像度の画像との差分を表す前記第２の解像度の差分画像を生成する１又は２以上の差分画像生成部と、
少なくとも入力された前記第１の解像度の画像を用いて、前記第２の解像度の差分画像の一部又は全体をマスクする差分画像マスク部と、
前記差分画像生成部の出力、又は前記差分画像マスク部の出力を平均化し、前記第２の解像度の画像を出力する合算部と、
前記合算部の出力を前記第２の解像度の画像に加算する加算部と、
それぞれ異なる前記第１の解像度の画像と、前記加算部による直前の処理により得られた前記第２の解像度の画像とを入力として２回目以降の前記処理を行い、所定の回数だけ前記処理を行うことによって処理結果たる前記第２の解像度の画像を生成する画像処理部と
を備える画像処理装置。
【請求項１０】
前記差分画像マスク部は、入力された複数の前記第１の解像度の画像に基づいて、マスク領域を決定する
請求項９に記載の画像処理装置。
【請求項１１】
前記差分画像マスク部は、入力された前記第１の解像度の画像と前記第２の解像度の画像とに基づいて、マスク領域を決定する
請求項９に記載の画像処理装置。
【請求項１２】
前記マスク領域は、入力される画像間の画素値の差分の大小により決定される
請求項１０又は１１に記載の画像処理装置。
【請求項１３】
前記差分画像生成部に対する入力画像として、動画像撮像中に撮像された、前記第１の解像度より大きい解像度を有する静止画像が含まれる
請求項９乃至１２のうちのいずれかに記載の画像処理装置。
【請求項１４】
入力された第１の解像度の画像と、前記第１の解像度より高い第２の解像度の画像との差分を表す前記第２の解像度の差分画像を生成する１又は２以上の差分画像生成部と、
前記差分画像生成部の出力を平均化し、前記第２の解像度の画像を出力する合算部と、
前記合算部の出力を前記第２の解像度の画像に加算する加算部と、
それぞれ異なる前記第１の解像度の画像と、前記加算部による直前の処理により得られた前記第２の解像度の画像とを入力として２回目以降の前記処理を行い、所定の回数だけ前記処理を行うことによって処理結果たる前記第２の解像度の画像を生成する画像処理部と、
前記第１の解像度の画像と前記第２の解像度の画像とに基づいて、前記処理の初期画像である前記第２の解像度の画像を生成する初期画像生成部とを備え、
前記初期画像は、前記第２の解像度の画像の動き補償の信頼性が低い領域において、前記第１の解像度の画像を前記第２の解像度の画像に変換した画像によって補間することにより生成される
画像処理装置。
【請求項１５】
入力された第１の解像度の画像と、前記第１の解像度より高い第２の解像度の画像との差分を表す前記第２の解像度の差分画像を１又は２以上の差分画像生成部により生成し、
少なくとも入力された前記第１の解像度の画像を用いて、前記第２の解像度の差分画像の一部又は全体を差分画像マスク部によりマスクし、
前記差分画像生成部の出力、又は前記差分画像マスク部の出力を平均化し、前記第２の解像度の画像を合算部から出力し、
前記合算部の出力を前記第２の解像度の画像に加算部により加算し、
それぞれ異なる前記第１の解像度の画像と、前記加算部による直前の処理により得られた前記第２の解像度の画像とを入力として２回目以降の前記処理を行い、所定の回数だけ前記処理を行うことによって処理結果たる前記第２の解像度の画像を生成する
ステップを含む画像処理方法。
【請求項１６】
入力された第１の解像度の画像と、前記第１の解像度より高い第２の解像度の画像との差分を表す前記第２の解像度の差分画像を１又は２以上の差分画像生成部により生成し、
少なくとも入力された前記第１の解像度の画像を用いて、前記第２の解像度の差分画像の一部又は全体を差分画像マスク部によりマスクし、
前記差分画像生成部の出力、又は前記差分画像マスク部の出力を平均化し、前記第２の解像度の画像を合算部から出力し、
前記合算部の出力を前記第２の解像度の画像に加算部により加算し、
それぞれ異なる前記第１の解像度の画像と、前記加算部による直前の処理により得られた前記第２の解像度の画像とを入力として２回目以降の前記処理を行い、所定の回数だけ前記処理を行うことによって処理結果たる前記第２の解像度の画像を生成する
ステップを含む処理をコンピュータに実行させるプログラム。
【手続補正２】
【補正対象書類名】明細書
【補正対象項目名】００３３
【補正方法】変更
【補正の内容】
【００３３】
本技術の第１の画像処理装置は、入力された第１の解像度の画像と、前記第１の解像度より高い第２の解像度の画像との差分を表す前記第２の解像度の差分画像を生成する差分画像生成部と、少なくとも入力された前記第１の解像度の画像を用いて、前記第２の解像度の差分画像の一部又は全体をマスクする差分画像マスク部と、前記差分画像生成部の出力、又は前記差分画像マスク部の出力を、前記第２の解像度の画像に加算する加算部とを複数含み、それぞれ異なる前記第１の解像度の画像と、直前の前記加算部による処理により得られた前記第２の解像度の画像とを入力として２回目以降の前記処理を行い、所定の回数だけ前記処理を行うことによって処理結果たる前記第２の解像度の画像を生成する画像処理部を備える。
【手続補正３】
【補正対象書類名】明細書
【補正対象項目名】００３４
【補正方法】変更
【補正の内容】
【００３４】
前記差分画像マスク部には、入力された複数の前記第１の解像度の画像に基づいて、マスク領域を決定させることができる。
前記差分画像マスク部には、入力された前記第１の解像度の画像と前記第２の解像度の画像とに基づいて、マスク領域を決定させることができる。
前記マスク領域は、入力される画像間の画素値の差分の大小により決定されるようにすることができる。
前記差分画像生成部に対する入力画像として、動画像撮像中に撮像された、前記第１の解像度より大きい解像度を有する静止画像が含まれるようにすることができる。
【手続補正４】
【補正対象書類名】明細書
【補正対象項目名】００３５
【補正方法】変更
【補正の内容】
【００３５】
本技術の第２の側面の画像処理装置は、入力された第１の解像度の画像と、前記第１の解像度より高い第２の解像度の画像との差分を表す前記第２の解像度の差分画像を生成する差分画像生成部と、前記差分画像生成部の出力を前記第２の解像度の画像に加算する加算部とを複数含み、それぞれ異なる前記第１の解像度の画像と、直前の前記加算部による処理により得られた前記第２の解像度の画像とを入力として２回目以降の前記処理を行い、所定の回数だけ前記処理を行うことによって処理結果たる前記第２の解像度の画像を生成する画像処理部と、前記第１の解像度の画像と前記第２の解像度の画像とに基づいて、前記処理の初期画像である前記第２の解像度の画像を生成する初期画像生成部とを備え、前記初期画像は、前記第２の解像度の画像の動き補償の信頼性が低い領域において、前記第１の解像度の画像を前記第２の解像度の画像に変換した画像によって補間することにより生成される。
【手続補正５】
【補正対象書類名】明細書
【補正対象項目名】００３６
【補正方法】変更
【補正の内容】
【００３６】
本技術の第３の画像処理装置は、入力された第１の解像度の画像と、前記第１の解像度より高い第２の解像度の画像との差分を表す前記第２の解像度の差分画像を生成する１又は２以上の差分画像生成部と、少なくとも入力された前記第１の解像度の画像を用いて、前記第２の解像度の差分画像の一部又は全体をマスクする差分画像マスク部と、前記差分画像生成部の出力、又は前記差分画像マスク部の出力を平均化し、前記第２の解像度の画像を出力する合算部と、前記合算部の出力を前記第２の解像度の画像に加算する加算部と、それぞれ異なる前記第１の解像度の画像と、前記加算部による直前の処理により得られた前記第２の解像度の画像とを入力として２回目以降の前記処理を行い、所定の回数だけ前記処理を行うことによって処理結果たる前記第２の解像度の画像を生成する画像処理部とを備える。
【手続補正６】
【補正対象書類名】明細書
【補正対象項目名】００３７
【補正方法】変更
【補正の内容】
【００３７】
前記差分画像マスク部には、入力された複数の前記第１の解像度の画像に基づいて、マスク領域を決定させることができる。
前記差分画像マスク部には、入力された前記第１の解像度の画像と前記第２の解像度の画像とに基づいて、マスク領域を決定させることができる。
前記マスク領域は、入力される画像間の画素値の差分の大小により決定されるようにすることができる。
前記差分画像生成部に対する入力画像として、動画像撮像中に撮像された、前記第１の解像度より大きい解像度を有する静止画像が含まれるようにすることができる。
【手続補正７】
【補正対象書類名】明細書
【補正対象項目名】００３８
【補正方法】変更
【補正の内容】
【００３８】
本技術の第４の画像処理装置は、入力された第１の解像度の画像と、前記第１の解像度より高い第２の解像度の画像との差分を表す前記第２の解像度の差分画像を生成する１又は２以上の差分画像生成部と、前記差分画像生成部の出力を平均化し、前記第２の解像度の画像を出力する合算部と、前記合算部の出力を前記第２の解像度の画像に加算する加算部と、それぞれ異なる前記第１の解像度の画像と、前記加算部による直前の処理により得られた前記第２の解像度の画像とを入力として２回目以降の前記処理を行い、所定の回数だけ前記処理を行うことによって処理結果たる前記第２の解像度の画像を生成する画像処理部と、前記第１の解像度の画像と前記第２の解像度の画像とに基づいて、前記処理の初期画像である前記第２の解像度の画像を生成する初期画像生成部とを備え、前記初期画像は、前記第２の解像度の画像の動き補償の信頼性が低い領域において、前記第１の解像度の画像を前記第２の解像度の画像に変換した画像によって補間することにより生成される。
【手続補正８】
【補正対象書類名】明細書
【補正対象項目名】００３９
【補正方法】削除
【補正の内容】
【手続補正９】
【補正対象書類名】明細書
【補正対象項目名】００４０
【補正方法】削除
【補正の内容】